(57)【要約】【課題】  複数の波付管を互いに近接させて配置することができる、波付管装置を提供する。【解決手段】  波付管装置３は、波付管１と、その波付管１の端部に取り付けられる端末部材２とからなる。端末部材２は、波付管１の内部に挿入される筒状の挿入部２ａと、その挿入部２ａから先に向けて口が広がって波付管１の端部から突出するフランジ部２ｂとを備える。挿入部２ａは、波付管１の内面凹部１ａに入り込んでその波付管１の内面凸部１ｂに掛け止まる掛止部２ｃを有する。そこで、フランジ部２ｂは、この波付管装置３を波付管１の軸方向Ｐと直交する方向に並べたときに、そのフランジ部２ｂ、２ｂどうしが干渉することなく波付管１、１が当たり合うことが可能となる大きさに形成されている。そして、フランジ部２ｂには、波付管１の外面凹部１ｃの底面よりも、波付管１の軸心から遠い位置に、ビスとかボルト等の固定具５が通る通し部２ｄが形成されている。【選択図】  図１０
2020141523.tif 000002
【特許請求の範囲】
【請求項１】
内外面に凹凸が連続する波付管と、その波付管の端部に取り付けられる端末部材とからなる、波付管装置であって、
前記端末部材は、前記波付管の内部に挿入される筒状の挿入部と、その挿入部から先に向けて口が広がって前記波付管の端部から突出するフランジ部とを備え、
前記挿入部は、前記波付管の内面凹部に入り込んでその波付管の内面凸部に掛け止まる掛止部を有し、
前記フランジ部は、この波付管装置を前記波付管の軸方向と直交する方向に並べたときに、そのフランジ部どうしが干渉することなく前記波付管が当たり合うことが可能となる大きさに形成され、かつ、
前記フランジ部には、前記波付管の外面凹部の底面よりも、波付管の軸心から遠い位置に、ビスとかボルト等の固定具が通る通し部が形成されている、波付管装置。
【請求項２】
前記波付管は、その外面凸部の頂面および内面凹部の底面が、波付管の軸心に直交する断面において四角形状を成すように形成され、かつ、その外面凹部の底面および内面凸部の頂面が、波付管の軸心に直交する断面において四角形状を成すように形成されている、請求項１に記載の波付管装置。
【請求項３】
前記挿入部は、その周壁が、前記波付管の内面凸部の頂面の断面四角形状に沿った四角筒状を成すように形成され、
前記フランジ部は、その周縁が、前記波付管の外面凸部の頂面の断面四角形状に沿った四角形状を成すように形成され、
前記通し部は、前記フランジ部の周方向における、４つの角部のうちの少なくとも１つの角部の位置に設けられる、請求項２に記載の波付管装置。
【請求項４】
前記波付管は、その外面凸部の頂面および内面凹部の底面が、波付管の軸心に直交する断面において四角形状を成すように形成され、かつ、その外面凹部の底面および内面凸部の頂面が、波付管の軸心に直交する断面において円形形状を成すように形成されている、請求項１に記載の波付管装置。
【請求項５】
前記波付管が、その外面凹部の底面および内面凸部の頂面の位置が軸方向の端部縁となった、その端部側に、前記端末部材が取り付けられた際に、前記波付管の端部縁部分での内面凸部の頂面の周方向における、４つの角部内面のうちの少なくとも１つの角部内面と対面する、前記挿入部の特定箇所に、波付管の前記角部内面に当接する当接リブが設けられている、請求項２または３に記載の波付管装置。
【請求項６】
前記フランジ部の背面と前記波付管との間に、前記固定具における前記フランジ部の背面から飛び出す部分を受け入れる受入部を確保するように、前記フランジ部の背面には、前記波付管の端面に当接可能な受入部形成突部が突出形成されている、請求項１ないし５のいずれか１項に記載の波付管装置。
【請求項７】
前記掛止部の前記軸方向における長さが、対応する前記波付管の内面凹部の前記軸方向における長さよりも、短く形成されている、請求項１ないし６のいずれか１項に記載の波付管装置。
【請求項８】
内外面に凹凸が連続する波付管の端部に取り付けられる、端末部材であって、
前記波付管の内部に挿入される筒状の挿入部と、その挿入部から先に向けて口が広がって前記波付管の端部から突出するフランジ部とを備え、
前記挿入部は、前記波付管の内面凹部に入り込んでその波付管の内面凸部に掛け止まる掛止部を有し、
前記フランジ部は、この端末部材が取り付けられた端末部材付きの波付管をその波付管の軸方向と直交する方向に並べたときに、そのフランジ部どうしが干渉することなく前記波付管が当たり合うことが可能となる大きさに形成され、かつ、
前記フランジ部には、前記挿入部の外面よりも外側となる位置に、ビスとかボルト等の固定具が通る通し部が形成されている、波付管用の端末部材。
【請求項９】
請求項８に記載の端末部材と、固定板とからなる、波付管端部固定装置であって、
前記固定板は、前記通し部に通される前記固定具により前記フランジ部に固定される固定部と、前記フランジ部の内側の開口を閉塞する閉塞部と、前記端末部材を埋設するコンクリート等の硬化材用の型枠板を貫通するボルト等の雄ねじ部材が螺合する雌ねじ部とを有する、波付管端部固定装置。
【発明の詳細な説明】
【技術分野】
【０００１】
この発明は、複数の波付管を互いに近接させて配置することができる、波付管装置、波付管用の端末部材、および波付管端部固定装置に関するものである。
【背景技術】
【０００２】
従来、ハンドホールの周壁を形成するコンクリートに、管の端部に取り付けられたベルマウスが埋設されることがあった（例えば、特許文献１参照）。図２２に示すように、管２１の端部に挿入されたベルマウス２２は、筒部２３とフランジ部２４とからなり、フランジ部２４には、釘打ち穴２４ａがあけられていた。そこで、ハンドホールの成形にあたって、ハンドホールの周壁を形成するためのコンクリート打設空間２５の内外に、型枠となるパネル（内側パネル２６および外側パネル２７）が立設され、内側パネル２６に、ベルマウス２２が、釘打ちによって（つまり、フランジ部２４の釘打ち穴２４ａを通って内側パネル２６に打ち込まれる釘２８によって）取り付けられた。
【先行技術文献】
【特許文献】
【０００３】
【特許文献１】実用新案登録第３０５４５４２号公報
【発明の概要】
【発明が解決しようとする課題】
【０００４】
しかし、前記従来のベルマウス２２（端末部材）にあっては、そのフランジ部２４が、管２１（波付管）よりも大きく張り出していることから、複数の管２１、２１を互いに近接させようとするとベルマウス２２、２２どうしが干渉してしまい、複数の管２１、２１を互いに近接させることができなかった。
【０００５】
この発明は、上記した従来の欠点を解決するためになされたものであり、その目的とするところは、複数の波付管を互いに近接させて配置することができる、波付管装置、波付管用の端末部材、および波付管端部固定装置を提供することにある。
【課題を解決するための手段】
【０００６】
この発明に係る波付管装置、波付管用の端末部材、および波付管端部固定装置は、前記目的を達成するために、次の構成からなる。すなわち、
請求項１に記載の発明に係る波付管装置は、内外面に凹凸が連続する波付管と、その波付管の端部に取り付けられる端末部材とからなる。ここで、前記端末部材は、前記波付管の内部に挿入される筒状の挿入部と、その挿入部から先に向けて口が広がって前記波付管の端部から突出するフランジ部とを備える。前記挿入部は、前記波付管の内面凹部に入り込んでその波付管の内面凸部に掛け止まる掛止部を有する。そして、前記フランジ部は、この波付管装置を前記波付管の軸方向と直交する方向に並べたときに、そのフランジ部どうしが干渉することなく前記波付管が当たり合うことが可能となる大きさに形成されている。また、前記フランジ部には、前記波付管の外面凹部の底面よりも、波付管の軸心から遠い位置に、ビスとかボルト等の固定具が通る通し部が形成されている。
【０００７】
この波付管装置によると、端末部材は、筒状の挿入部とフランジ部とを備えて、挿入部が波付管の内部に挿入され、フランジ部が波付管の端部から突出する。そして、挿入部に設けられた掛止部が、波付管の内面凸部に掛け止まることで、端末部材は、波付管の端部に取り付けられる。ここで、フランジ部は、波付管装置を波付管の軸方向と直交する方向に並べたときに、そのフランジ部どうしが干渉することなく波付管が当たり合うことが可能となる大きさに形成されていることから、複数の波付管装置を、波付管の軸方向と直交する方向に並べる際に、複数の波付管を互いに近接させて配置することができる。そして、フランジ部には、通し部が形成されており、この通し部を通る固定具により、端末部材、ひいては波付管装置を、型枠板に固定することができる。
【０００８】
また、請求項２に記載の発明に係る波付管装置は、請求項１に記載の波付管装置において、前記波付管は、その外面凸部の頂面および内面凹部の底面が、波付管の軸心に直交する断面において四角形状を成すように形成され、かつ、その外面凹部の底面および内面凸部の頂面が、波付管の軸心に直交する断面において四角形状を成すように形成されている。
【０００９】
また、請求項３に記載の発明に係る波付管装置は、請求項２に記載の波付管装置において、前記挿入部は、その周壁が、前記波付管の内面凸部の頂面の断面四角形状に沿った四角筒状を成すように形成され、前記フランジ部は、その周縁が、前記波付管の外面凸部の頂面の断面四角形状に沿った四角形状を成すように形成されている。そして、前記通し部は、前記フランジ部の周方向における、４つの角部のうちの少なくとも１つの角部の位置に設けられる。
【００１０】
また、請求項４に記載の発明に係る波付管装置は、請求項１に記載の波付管装置において、前記波付管は、その外面凸部の頂面および内面凹部の底面が、波付管の軸心に直交する断面において四角形状を成すように形成され、かつ、その外面凹部の底面および内面凸部の頂面が、波付管の軸心に直交する断面において円形形状を成すように形成されている。
【００１１】
また、請求項５に記載の発明に係る波付管装置は、請求項２または３に記載の波付管装置において、前記波付管が、その外面凹部の底面および内面凸部の頂面の位置が軸方向の端部縁となった、その端部側に、前記端末部材が取り付けられた際に、前記波付管の端部縁部分での内面凸部の頂面の周方向における、４つの角部内面のうちの少なくとも１つの角部内面と対面する、前記挿入部の特定箇所に、波付管の前記角部内面に当接する当接リブが設けられている。当接リブを設けることで、端末部材に対する波付管のガタツキを防止することができる。
【００１２】
また、請求項６に記載の発明に係る波付管装置は、請求項１ないし５のいずれか１項に記載の波付管装置において、前記フランジ部の背面と前記波付管との間に、前記固定具における前記フランジ部の背面から飛び出す部分を受け入れる受入部を確保するように、前記フランジ部の背面には、前記波付管の端面に当接可能な受入部形成突部が突出形成されている。
【００１３】
また、請求項７に記載の発明に係る波付管装置は、請求項１ないし６のいずれか１項に記載の波付管装置において、前記掛止部の前記軸方向における長さが、対応する前記波付管の内面凹部の前記軸方向における長さよりも、短く形成されている。これにより、端末部材と波付管との軸方向への相対移動が一定範囲で許容され、その範囲で、端末部材に対する波付管の、軸方向の位置を調整することができる。
【００１４】
また、請求項８に記載の発明に係る波付管用の端末部材は、内外面に凹凸が連続する波付管の端部に取り付けられる。この端末部材は、前記波付管の内部に挿入される筒状の挿入部と、その挿入部から先に向けて口が広がって前記波付管の端部から突出するフランジ部とを備える。前記挿入部は、前記波付管の内面凹部に入り込んでその波付管の内面凸部に掛け止まる掛止部を有する。そして、前記フランジ部は、この端末部材が取り付けられた端末部材付きの波付管をその波付管の軸方向と直交する方向に並べたときに、そのフランジ部どうしが干渉することなく前記波付管が当たり合うことが可能となる大きさに形成されている。また、前記フランジ部には、前記挿入部の外面よりも外側となる位置に、ビスとかボルト等の固定具が通る通し部が形成されている。
【００１５】
この端末部材によると、端末部材は、筒状の挿入部とフランジ部とを備えて、挿入部が波付管の内部に挿入され、フランジ部が波付管の端部から突出する。そして、挿入部に設けられた掛止部が、波付管の内面凸部に掛け止まることで、端末部材は、波付管の端部に取り付けられる。ここで、フランジ部は、端末部材付きの波付管を波付管の軸方向と直交する方向に並べたときに、そのフランジ部どうしが干渉することなく波付管が当たり合うことが可能となる大きさに形成されていることから、複数の端末部材付きの波付管を、波付管の軸方向と直交する方向に並べる際に、複数の波付管を互いに近接させて配置することができる。そして、フランジ部には、通し部が形成されており、この通し部を通る固定具により、端末部材、ひいては端末部材付きの波付管を、型枠板に固定することができる。
【００１６】
また、請求項９に記載の発明に係る波付管端部固定装置は、請求項８に記載の端末部材と、固定板とからなる。ここで、前記固定板は、前記通し部に通される前記固定具により前記フランジ部に固定される固定部と、前記フランジ部の内側の開口を閉塞する閉塞部と、前記端末部材を埋設するコンクリート等の硬化材用の型枠板を貫通するボルト等の雄ねじ部材が螺合する雌ねじ部とを有する。固定板が、端末部材のフランジ部に固定される固定部と、型枠板を貫通するボルト等の雄ねじ部材が螺合する雌ねじ部とを有することから、端末部材、ひいては端末部材付きの波付管を、この固定板を介して型枠板に固定することができる。そして、固定板は、フランジ部の内側の開口を閉塞する閉塞部を有している。このため、端末部材が、コンクリート等の硬化材に埋設されて、型枠板が除去された後には、この閉塞部を有する固定板で、端末部材内、ひいては端末部材付きの波付管内に埃等が進入するのを防ぐことができる。
【発明の効果】
【００１７】
この発明に係る波付管装置、端末部材、および波付管端部固定装置によれば、フランジ部は、波付管装置（端末部材付きの波付管）を波付管の軸方向と直交する方向に並べたときに、そのフランジ部どうしが干渉することなく前記波付管が当たり合うことが可能となる大きさに形成されていることから、複数の波付管装置を、波付管の軸方向と直交する方向に並べる際に、複数の波付管を互いに近接させて配置することができる。そして、フランジ部には、通し部が形成されており、この通し部を通る固定具により、端末部材、ひいては波付管装置（端末部材付きの波付管）を、型枠板に固定することができ、複数の波付管を互いに近接させて配置固定することが可能となる。
【図面の簡単な説明】
【００１８】
【図１】この発明の一実施の形態の、波付管の斜視図である。
【図２】同じく、波付管の断面図である。
【図３】同じく、端末部材を前方から見た斜視図である。
【図４】同じく、端末部材を後方から見た斜視図である。
【図５】同じく、端末部材の断面図である。
【図６】同じく、端末部材の通し部部分を示す拡大断面図である。
【図７】同じく、波付管装置の斜視図である。
【図８】同じく、波付管装置の断面図である。
【図９】同じく、波付管装置を波付管の軸方向と直交する方向の一例である縦方向に並べた斜視図である。
【図１０】同じく、波付管装置を波付管の軸方向と直交する方向の一例である縦方向に並べた断面図である。
【図１１】同じく、固定板の正面図である。
【図１２】図１１におけるＡ−Ａ線による断面図である。
【図１３】同じく、波付管端部固定装置と波付管とを組み付けた断面図である。
【図１４】同じく、固定板をフランジ部に固定した、その固定部分を示す拡大断面図である。
【図１５】同じく、端末部材付きの波付管を、固定板を介して型枠板に固定した状態（つまり、波付管を、波付管端部固定装置を用いて型枠板に固定した状態）を示す断面図である。
【図１６】同じく、構造物の壁に、波付管を波付管端部固定装置を用いて接続する施工過程を示す断面図である。
【図１７】この発明の他の実施の形態の、波付管の斜視図である。
【図１８】同じく、端末部材を前方から見た斜視図である。
【図１９】同じく、端末部材を後方から見た斜視図である。
【図２０】同じく、端末部材の通し部部分を示す拡大断面図である。
【図２１】同じく、波付管装置の断面図である。
【図２２】従来のベルマウスをコンクリートに埋設する過程を示す断面図である。
【発明を実施するための形態】
【００１９】
以下、この発明に係る波付管装置、端末部材、および波付管端部固定装置を実施するための形態を図面に基づいて説明する。
【００２０】
図１〜図１６は、本発明の一実施の形態を示す。図中符号１は、内外面に凹凸が連続する波付管を示す。２は、波付管用の端末部材を示す。３は、波付管装置を示す。４は、波付管端部固定装置を示す。
【００２１】
波付管装置３は、波付管１と、その波付管１の端部に取り付けられる端末部材２とからなる。この端末部材２は、波付管１の内部に挿入される筒状の挿入部２ａと、その挿入部２ａから先に向けて口が広がって波付管１の端部から突出するフランジ部２ｂとを備える。
【００２２】
ここで、挿入部２ａは、波付管１の内面凹部１ａに入り込んでその波付管１の内面凸部１ｂに掛け止まる掛止部２ｃを有する。そして、この掛止部２ｃの、波付管１の軸方向Ｐ（つまりは、挿入部２ａの軸方向）における長さが、対応する波付管１の内面凹部１ａの前記軸方向Ｐにおける長さよりも、短く形成されている。
【００２３】
フランジ部２ｂは、波付管装置３（つまり、端末部材２が取り付けられた端末部材２付きの波付管１）を波付管１の軸方向Ｐと直交する方向に並べたときに、そのフランジ部２ｂ、２ｂどうしが干渉することなく波付管１、１が当たり合うことが可能となる大きさに形成されている。そして、このフランジ部２ｂには、挿入部２ａの外面よりも外側となる位置に（詳しくは、波付管１の外面凹部１ｃの底面よりも、波付管１の軸心から遠い位置に）、ビスとかボルト等の固定具５が通る通し部２ｄが形成されている。
【００２４】
また、フランジ部２ｂの背面（つまり、挿入部２ａ側を向く面）と波付管１との間に、前記固定具５におけるフランジ部２ｂの背面から飛び出す部分を受け入れる受入部２ｅを確保するように、フランジ部２ｂの背面には、波付管１の端面に当接可能な受入部形成突部２ｆが突出形成されている。ここで、当接可能とは、端末部材２を波付管１の端部に取り付けたときに、波付管１の端面に受入部形成突部２ｆが現実に当接している場合に限らず、当接はしていないが、さらに端末部材２の挿入部２ａを波付管１の内部に挿入すれば、当接することができる場合を含むものである（図８参照）。
【００２５】
詳細には、波付管１は、その波付管１の外面凸部１ｄの頂面および内面凹部１ａの底面が、波付管１の軸心に直交する断面において四角形状を成すように形成され、かつ、その波付管１の外面凹部１ｃの底面および内面凸部１ｂの頂面が、波付管１の軸心に直交する断面において四角形状を成すように形成されている。端末部材２においては、挿入部２ａは、その周壁２ｊが、波付管１の内面凸部１ｂの頂面の断面四角形状に沿った四角筒状を成すように形成され、フランジ部２ｂは、その周縁が、波付管１の外面凸部１ｄの頂面の断面四角形状に沿った四角形状を成すように形成される。そこで、前記通し部２ｄは、フランジ部２ｂの周方向における、４つの角部のうちの少なくとも１つの角部の位置に設けられる。
【００２６】
そして、波付管１が、その波付管１の外面凹部１ｃの底面および内面凸部１ｂの頂面の位置が軸方向Ｐの端部縁となった、その端部側に、端末部材２が取り付けられた際に（図８参照）、波付管１の端部縁部分での内面凸部１ｂの頂面の周方向における、４つの角部内面のうちの少なくとも１つの角部内面１ｘ（図示実施の形態においては、４つの角部内面）と対面する、挿入部２ａの特定箇所（詳しくは、挿入部２ａの外面の周方向における、４つの角部外面のうちの少なくとも１つの角部外面（図示実施の形態においては４つの角部外面））に、波付管１の前記角部内面１ｘに当接する当接リブ２ｇが設けられている（図１４参照）。
【００２７】
具体的には、波付管１は、例えば、配線・配管材（配線材または配管材）を収容保護するものであって、合成樹脂等からなる。この波付管１は、その波付管１の外面凸部１ｄの頂面および内面凹部１ａの底面が、波付管１の軸心に直交する断面において四角形状（詳しくは、正方形等の矩形形状、図示実施例では、角部に円弧を有する角丸正方形形状）を成すように形成され、かつ、その波付管１の外面凹部１ｃの底面および内面凸部１ｂの頂面が、波付管１の軸心に直交する断面において四角形状（詳しくは、正方形等の矩形形状、図示実施例では、角部に円弧を有する角丸正方形形状）を成すように形成されている。そして、波付管１の外面凸部１ｄの頂面には、断面正方形形状の対向する二つの辺の中央部に、凹み部１ｅが設けられ、その凹み部１ｅに対応するように、波付管１の内面凹部１ａの底面には、凸状部１ｆが設けられる。
【００２８】
端末部材２は、例えば、合成樹脂等からなる。この端末部材２においては、挿入部２ａは、その周壁２ｊが、波付管１の内面凸部１ｂの頂面の断面四角形状（詳しくは、断面正方形等の矩形形状、図示実施例では、角部に円弧を有する断面角丸正方形形状）に沿った四角筒状（詳しくは、正方形等の矩形筒状、図示実施例では、角部に円弧を有する角丸正方形筒状）を成すように形成される。一方、フランジ部２ｂは、その周縁が、波付管１の外面凸部１ｄの頂面の断面四角形状（詳しくは、断面正方形等の矩形形状、図示実施例では、角部に円弧を有する断面角丸正方形形状）に沿った四角形状（詳しくは、正方形等の矩形形状、図示実施例では、角部に円弧を有する角丸正方形形状）を成すように形成される。そして、フランジ部２ｂは、挿入部２ａから弧状に広がる曲面部２ｈと、その曲面部２ｈから、挿入部２ａに対し直角に広がる平板部２ｉとで構成されている。
【００２９】
掛止部２ｃは、挿入部２ａの周壁２ｊから外方に突出するように形成される。詳細には、掛止部２ｃは、フランジ部２ｂ側の面が、周壁２ｊから直立状に起立した起立面２ｋとなり、フランジ部２ｂとは反対側の面が、反フランジ部２ｂ側ほど周壁２ｊに近づくように傾く傾斜面２ｍとなっている。より詳細には、挿入部２ａは、その周壁２ｊが、フランジ部２ｂとは反対側を基端として、挿入部２ａの内外に弾性変形可能な弾性片２ｎを有しており、その弾性片２ｎに前記掛止部２ｃが設けられる。図示実施の形態においては、周壁２ｊには、コ字状の溝状孔２ｐがあけられ、その溝状孔２ｐで囲まれた内側の部分が、前記弾性片２ｎとなる。
【００３０】
通し部２ｄは、フランジ部２ｂの周方向における、４つの角部に設けられる。この通し部２ｄは、フランジ部２ｂの表側からあけられた有底の孔からなる。そして、前記固定具５は、ビス（詳しくは、タッピングビス）からなり、この通し部２ｄに、フランジ部２ｂの表側（つまり、挿入部２ａのある側とは反対側）からねじ込まれる。
【００３１】
受入部形成突部２ｆは、前述したように、フランジ部２ｂの背面に設けられるが、詳細には、周縁が四角形状を成すフランジ部２ｂにおいて、そのフランジ部２ｂの周方向における、４つの角部の位置、つまり、通し部２ｄがある位置に設けられる。この受入部形成突部２ｆは、フランジ部２ｂの背面から突出するとともに、フランジ部２ｂの周縁から挿入部２ａに渡るように形成される。そして、この受入部形成突部２ｆは、第１受入部形成突部２０１と第２受入部形成突部２０２との二種類設けられ、それらが、フランジ部２ｂの周方向に交互に並ぶように配置される。第１受入部形成突部２０１は、フランジ部２ｂの周縁側に開口する凹部を備えた長方形状体に形成され、その凹部内が、前記受入部２ｅとしての受入空間となる。そして、第２受入部形成突部２０２は、凹部を備えない長方形状体に形成され、それ自身が前記受入部２ｅとなっている。
【００３２】
当接リブ２ｇは、挿入部２ａの基端側（フランジ部２ｂ側）において、周壁２ｊから突出して形成されている。詳細には、当接リブ２ｇは、前記受入部形成突部２ｆから挿入部２ａの先端側に向かって延び、かつ、先端側ほど高さが低くなった楔状に形成されている。
【００３３】
波付管端部固定装置４は、前記端末部材２と、固定板６とからなる。この固定板６は、端末部材２におけるフランジ部２ｂに設けられた通し部２ｄに通される固定具５によりフランジ部２ｂ（ひいては、端末部材２）に固定される固定部６ａと、フランジ部２ｂの内側の開口を閉塞する閉塞部６ｂと、端末部材２を埋設するコンクリート等の硬化材用の型枠板７を貫通するボルト等の雄ねじ部材８が螺合する雌ねじ部６ｃとを有する。
【００３４】
詳細には、固定板６は、正方形平板状に形成された固定板本体６ｄと、前記雌ねじ部６ｃを備えたナット６ｅとからなる。そして、固定部６ａは、固定板６（詳しくは、固定板本体６ｄ）の４つの角部のうちの、対角線上にある２つの角部の位置に設けられ、その固定部６ａには、前記固定具５としてのビス（詳しくは、タッピングビス）が通る通孔６ｆがあけられている。そして、この固定板本体６ｄの周縁部を除くほぼ全体が、前記閉塞部６ｂとなる。ナット６ｅは、固定板本体６ｄの裏面（つまり、端末部材２がある側の面）に、例えば溶接により固定されている。このナット６ｅは、固定板本体６ｄの中央に設けられ、固定板本体６ｄには、雌ねじ部６ｃと連通するように孔６ｇがあけられている。
【００３５】
型枠板７は、貫通孔７ａを有する。そこで、端末部材２に固定板６が取り付けられた波付板端部固定装置４に対し、その固定板６に型枠板７が宛がわれ、ボルト等の雄ねじ部材８が、型枠板７の貫通孔７ａと固定板本体６ｄの孔６ｇを通り、ナット６ｅ（雌ねじ部６ｃ）にねじ込まれる。そして、端末部材２の挿入部２ａを波付管１の端部に挿入するようにして、端末部材２と波付管１とが組み付けられるが、この組み付けは、端末部材２単品の状態でも、端末部材２に固定板６を取り付けた後であっても、さらには、型枠板７に、固定板６（詳しくは、端末部材２付きの固定板６）を取り付けた後であってもよい。
【００３６】
図９および図１０は、波付管装置３が、複数、波付管１の軸方向Ｐと直交する方向の一例である縦方向に並んだ状態を示す。この例において、波付管装置３のそれぞれには、固定板６が取り付けられ、それら固定板６、６が、型枠板７に取り付けられる。また、図１６は、ハンドホール等の構造物の壁９に、波付管１を、波付管端部固定装置４を用いて接続する施工過程を示す。図示実施の形態においては、壁９には、予め、孔９ａがあけられており、その孔９ａに複数の波付管１、１が接続される。ここで、型枠板７は、複数の固定板６、６に渡るようにしてそれら固定板６、６に宛がわれて、孔９ａを壁９の内側から塞ぐように配置される。そして、孔９ａの内周面と波付管装置３（端末部材２および波付管１）との間の隙間１０が、コンクリート、モルタルあるいはレジンコンクリート等の硬化材（図示せず）で埋められる。そして、硬化材が硬化した後に、ボルト８を外すことで、型枠板７が取り除かれる。その後、波付管１内へのケーブル等の配設の際に、固定具５を外すことで、固定板６が取り除かれる。
【００３７】
次に、以上の構成からなる波付管装置３、端末部材２、および波付管端部固定装置４の作用効果について説明する。波付管装置３とか波付管端部固定装置４とかにおける端末部材２は、筒状の挿入部２ａとフランジ部２ｂとを備えて、挿入部２ａが波付管１の内部に挿入され、フランジ部２ｂが波付管１の端部から突出する。そして、挿入部２ａに設けられた掛止部２ｃが、波付管１の内面凸部１ｂに掛け止まることで、端末部材２は、波付管１の端部に取り付けられる。ここで、フランジ部２ｂは、波付管装置３（つまり、端末部材２付きの波付管１）を波付管１の軸方向Ｐと直交する方向に並べたときに、そのフランジ部２ｂどうしが干渉することなく波付管１が当たり合うことが可能となる大きさに形成されている。このため、複数の波付管装置３、３を、波付管１の軸方向Ｐと直交する方向に並べる際に、複数の波付管１、１を互いに近接させて配置することができる。そして、フランジ部２ｂには、通し部２ｄが形成されており、この通し部２ｄを通る固定具５により、端末部材２、ひいては波付管装置３を、型枠板７に（図示実施の形態においては、固定板６を介して型枠板７に）固定することができ、複数の波付管１、１を互いに近接させて配置固定することが可能となる。
【００３８】
また、固定板６は、フランジ部２ｂの内側の開口を閉塞する閉塞部６ｂを有している。このため、端末部材２が、コンクリート等の硬化材に埋設されて、型枠板７が除去された後には、この閉塞部６ｂを有する固定板６で、端末部材２内、ひいては波付管装置３内（つまり、端末部材２付きの波付管１内）に埃等が進入するのを防ぐことができる。
【００３９】
また、端末部材２の挿入部２ａには、当接リブ２ｇが設けられている。当接リブ２ｇを設けることで、端末部材２に対する波付管１のガタツキを防止することができる。そして、特に、当接リブ２ｇが、波付管１の角部内面と対面する、挿入部２ａの周壁２ｊにおける変形し難い角部にあることで、波付管１と端末部材２との相対回動を的確に抑えることができ、かつ、端末部材２に対する波付管１のガタツキを効果的に防止することができる。
【００４０】
また、掛止部２ｃの、波付管１の軸方向Ｐにおける長さが、対応する波付管１の内面凹部１ａの前記軸方向Ｐにおける長さよりも、短く形成されている。これにより、端末部材２と波付管１との前記軸方向Ｐへの相対移動が一定範囲で許容され、その範囲で、端末部材２に対する波付管１の、前記軸方向Ｐの位置を調整することができる。
【００４１】
なお、本発明は、上述した実施の形態に限定されるわけではなく、その他種々の変更が可能である。例えば、波付管１の外面凸部１ｄと外面凹１ｃの両方が四角形状をしていなくても、図１７〜図２１に示すように、波付管１が、その外面凸部１ｄの頂面および内面凹部１ａの底面が、波付管１の軸心に直交する断面において四角形状（詳しくは、正方形等の矩形形状、図示実施例では、角部に円弧を有する角丸正方形形状）をなすように形成され、かつ、その外面凹部１ｃの底面および内面凸部１ｂの頂面が、波付管１の軸心に直交する断面において円形形状をなすように形成されてもよい。また、この波付管１に取り付けられる端末部材２にあっては、挿入部２ａは、その周壁２ｊが、波付管１の内面凸部１ｂの頂面の断面円形形状に沿った円形筒状を成すように形成される。そして、フランジ部２ｂは、その周縁が、波付管１の外面凸部１ｄの頂面の断面四角形状（詳しくは、断面正方形等の矩形形状、図示実施例では、角部に円弧を有する断面角丸正方形形状）に沿った四角形状（詳しくは、正方形等の矩形形状、図示実施例では、角部に円弧を有する角丸正方形形状）を成すように形成される。また、この端末部材２にあっては、溝状孔２ｐとか弾性片２ｎとかは設けられていない。また、この端末部材２には、波付管１の内面凸部１ｂと対面する箇所に、その波付管１の内面に当接する当接リブが設けられていないが、この当接リブ（特に、波付管１の内面を圧接する圧接リブ）を設けるようにしてもよい。こうして、波付管１の内面凸部１ｂの頂面が、断面円形形状の場合に、端末部材２に当接リブ（圧接リブ）を設けると、波付管１の内面と当接リブ（圧接リブ）との摩擦により、波付管１と端末部材２との相対回動が抑えられる。また、この当接リブに代えて、固定具５を波付管１の内面に当接（特に、波付管１の内面を圧接）するように設けることで、波付管１と端末部材２との相対回動を抑えるようにしてもよい。
【００４２】
また、端末部材２とか波付管装置３は、固定板６を介して型枠板７に固定されなくても、直接、型枠板７に固定されてもよい。すなわち、固定板６を用いることなく、端末部材２側あるいは型枠板７側から、端末部材２の通し部２ｄを通るとともに型枠板７を通る固定具５により、端末部材２を、直接、型枠板７に固定してもよい。
【００４３】
また、波付管装置３を、複数、波付管１の軸方向Ｐと直交する方向に並べるにあたって、その軸方向Ｐと直交する方向は、縦方向に限らず、横方向とか、それら縦方向と横方向との間の斜め方向とかであってもよい。
【００４４】
また、波付管１を、ハンドホール等の構造物の壁９に接続するにあたって、壁９には予め孔９ａがあけられていたが、孔９ａをあけることなく、壁９を形成するコンクリート等の硬化材に、波付管装置３（つまり、端末部材２とか波付管１）が、直接、埋設されてもよい。
【００４５】
また、硬化材で、端末部材２と波付管１との両方を埋設しなくても、端末部材２を長くして、その先端部分に波付管１を取り付けることで、端末部材２のみを埋設するようにしてもよい。
【００４６】
また、端末部材２と波付管１とを、硬化材で埋設することなく、波付管１の端部に端末部材２を取り付けて使用してもよい。この場合であっても、特に当接リブ２ｇを、波付管１の角部内面と対面する、挿入部２ａの周壁２ｊにおける変形し難い角部に設けることで、波付管１と端末部材２との相対回動を的確に抑えることができ、かつ、それら波付管１と端末部材２とのガタツキを効果的に防止することができる。
【００４７】
また、通し部２ｄとか受入部２ｅの位置と、受入部形成突部２ｆの位置とは、同じ位置になくても、それらが互いにずれた位置にあってもよい。すなわち、例えば図４において、受入部２ｅが、隣り合う受入部形成突部２ｆ、２ｆの中間位置にあってもよい。
【００４８】
また、通し部２ｄは、有底の孔でなくても、貫通する孔であってもよく、また、底の浅い窪み等が、通し部２ｄを示す目印となっていてもよい。
【００４９】
また、固定具５は、フランジ部２ｂの表側から通し部２ｄに通されなくても、フランジ部２ｂの裏側から通し部２ｄに通されてもよい。また、この固定具５は、ビスでなくても、ボルトとナットからなっていてもよく、ボルトが、フランジ部２ｂの表側あるいは裏側から通し部２ｄに通されて、反対側に設けたナットにねじ込まれてもよい。このとき、受入部形成突部２ｆは、凹部を備えた第１受入部形成突部２０１からなり、その凹部内が、ボルトの頭部あるいはナットを受け入れる受入部２ｅとしての受入空間となる。そして、この場合には、ボルトあるいはナットを回り止めするように、受入部形成突部２ｆ（詳しくは、第１受入部形成突部２０１）を、ボルトの頭部あるいはナットの周面に係合するように形成するのがよい。
【００５０】
また、通し部２ｄの位置は、正方形のフランジ部２ｂにあっては、その正方形に内接する内接円の外側、長方形のフランジ部２ｂにあっては、その長方形の中心を中心としてその長方形に内接する内接円の外側にあるのが好ましい。
【００５１】
また、当接リブ２ｇとか受入部形成突部２ｆは、必要でなければ、無くてもよい。
【００５２】
また、固定具５は、ビスとかボルトに限らず、釘等であってもよい。
【００５３】
また、固定板６において、雌ねじ部６ｃは、ナット６ｅの孔からなるが、ナット６ｅを用いることなく、固定板本体６ｄに、直接、雌ねじ部６ｃを設けるようにしてもよい。
【符号の説明】
【００５４】
１  波付管
１ａ  内面凹部
１ｂ  内面凸部
１ｃ  外面凹部
１ｄ  外面凸部
１ｘ  角部内面
２  端末部材
２ａ  挿入部
２ｂ  フランジ部
２ｃ  掛止部
２ｄ  通し部
２ｅ  受入部
２ｆ  受入部形成突部
２ｊ  周壁
２ｇ  当接リブ
２０１  第１受入部形成突部（受入部形成突部）
２０２  第２受入部形成突部（受入部形成突部
３  波付管装置
４  波付管端部固定装置
５  固定具
６  固定板
６ａ  固定部
６ｂ  閉塞部
６ｃ  雌ねじ部
７  型枠板
８  雄ねじ部材
Ｐ  軸方向
【図１】
2020141523.tif 000003
【図２】
2020141523.tif 000004
【図３】
2020141523.tif 000005
【図４】
2020141523.tif 000006
【図５】
2020141523.tif 000007
【図６】
2020141523.tif 000008
【図７】
2020141523.tif 000009
【図８】
2020141523.tif 000010
【図９】
2020141523.tif 000011
【図１０】
2020141523.tif 000012
【図１１】
2020141523.tif 000013
【図１２】
2020141523.tif 000014
【図１３】
2020141523.tif 000015
【図１４】
2020141523.tif 000016
【図１５】
2020141523.tif 000017
【図１６】
2020141523.tif 000018
【図１７】
2020141523.tif 000019
【図１８】
2020141523.tif 000020
【図１９】
2020141523.tif 000021
【図２０】
2020141523.tif 000022
【図２１】
2020141523.tif 000023
【図２２】
2020141523.tif 000024